【手続補正書】
【提出日】平成31年3月26日(2019.3.26)
【手続補正１】
【補正対象書類名】特許請求の範囲
【補正対象項目名】全文
【補正方法】変更
【補正の内容】
【特許請求の範囲】
【請求項１】
メディアコンテンツを記憶するための方法であって、
音声コマンドをユーザから受信するステップと、
前記音声コマンドが、メディアアセットの部分を記憶する命令を備えることを判定するステップであって、前記部分は、前記メディアアセット全体未満である、ステップと、
前記判定に応答して、前記メディアアセットの部分のソースを識別するステップと、
前記メディアアセットの部分を記憶させるステップと
を含む、方法。
【請求項２】
前記メディアアセットの部分を記憶させるステップは、
前記音声コマンドが、前記メディアアセットの部分の持続時間のインジケーションを備えることを判定するステップと、
前記インジケーションに基づいて、前記メディアアセットの部分の開始位置および終了位置を判定するステップと、
前記開始位置と前記終了位置との間で経過する前記メディアアセットの部分を記憶させるステップと
を含む、請求項１に記載の方法。
【請求項３】
前記メディアアセットの部分の開始位置を判定するステップはさらに、
前記命令に対応する初期ソースを判定するステップと、
前記メディアアセットのランタイムを判定するステップと、
前記命令に対応する初期ソースによって提示される前記メディアアセットの開始時間を判定するステップと、
前記コマンドが検出された時間を判定するステップと、
前記ランタイム、前記開始時間、および前記コマンドが検出された時間に基づいて、前記メディアアセットの部分の開始位置を判定するステップと
を含む、請求項２に記載の方法。
【請求項４】
前記メディアアセットの部分のソースを識別するステップは、
前記メディアアセットと関連付けられた信号を検出するステップと、
前記信号に基づいて、前記メディアアセットと関連付けられたフィンガプリントを判定するステップと、
複数の既知のフィンガプリントを備えるデータベースにアクセスするステップと、
前記フィンガプリントと前記複数の既知のフィンガプリントを相互参照するステップと、
前記相互参照に基づいて、前記メディアアセットの部分のソースの識別を判定するステップと
を含む、請求項１に記載の方法。
【請求項５】
前記メディアアセットの部分を記憶させるステップは、
前記メディアアセットの部分を遠隔データベースから読み出すステップと、
前記メディアアセットの部分を前記ユーザのユーザ機器に記憶するステップと
を含む、請求項１に記載の方法。
【請求項６】
メディアコンテンツを記憶するためのシステムであって、
通信回路と、
記憶回路と、
制御回路であって、
前記通信回路を使用して、音声コマンドをユーザから受信することと、
前記音声コマンドが、メディアアセットの部分を記憶する命令を備えることを判定することであって、前記部分は、前記メディアアセット全体未満である、ことと、
前記判定に応答して、前記メディアアセットの部分のソースを識別することと、
前記記憶回路を使用して、前記メディアアセットの部分を記憶させることと
を行うように構成される、制御回路と
を備える、システム。
【請求項７】
前記制御回路はさらに、前記メディアアセットの部分を記憶させると、
前記音声コマンドが、前記メディアアセットの部分の持続時間のインジケーションを備えることを判定することと、
前記持続時間のインジケーションに基づいて、前記メディアアセットの部分の開始位置および終了位置を判定することと、
前記開始位置と前記終了位置との間で経過する前記メディアアセットの部分を記憶させることと
を行うように構成される、請求項６に記載のシステム。
【請求項８】
前記制御回路はさらに、前記メディアアセットの部分の開始位置を判定すると、
前記命令に対応する初期ソースを判定することと、
前記メディアアセットのランタイムを判定することと、
前記命令に対応する初期ソースによって提示される前記メディアアセットの開始時間を判定することと、
前記コマンドが検出された時間を判定することと、
前記ランタイム、前記開始時間、および前記コマンドが検出された時間に基づいて、前記メディアアセットの部分の開始位置を判定することと
を行うように構成される、請求項７に記載のシステム。
【請求項９】
前記制御回路はさらに、前記メディアアセットの部分のソースを識別すると、
前記メディアアセットと関連付けられた信号を検出することと、
前記信号に基づいて、前記メディアアセットと関連付けられたフィンガプリントを判定することと、
複数の既知のフィンガプリントを備えるデータベースにアクセスすることと、
前記フィンガプリントと前記複数の既知のフィンガプリントを相互参照することと、
前記相互参照に基づいて、前記メディアアセットの部分のソースの識別を判定することと
を行うように構成される、請求項６に記載のシステム。
【請求項１０】
前記制御回路はさらに、前記メディアアセットの部分を記憶させると、
前記メディアアセットの部分を遠隔データベースから読み出すことと、
前記メディアアセットの部分を前記ユーザのユーザ機器に記憶することと
を行うように構成される、請求項６に記載のシステム。
【手続補正２】
【補正対象書類名】明細書
【補正対象項目名】００１７
【補正方法】変更
【補正の内容】
【００１７】
前述のシステムおよび／または方法は、他のシステム、方法、および／または装置に適用される、もしくはそれに従って使用されてもよいことに留意されたい。
本願明細書は、例えば、以下の項目も提供する。
（項目１）
メディアコンテンツを記憶するための方法であって、
音声コマンドをユーザから受信するステップと、
前記音声コマンドが、メディアアセットの部分を記憶する命令を備えることを判定するステップであって、前記部分は、前記メディアアセット全体未満である、ステップと、
前記判定に応答して、前記メディアアセットの部分のソースを識別するステップと、
前記メディアアセットの部分を記憶させるステップと、
を含む、方法。
（項目２）
前記メディアアセットの部分を記憶させるステップは、
前記音声コマンドが、前記メディアアセットの部分の持続時間のインジケーションを備えることを判定するステップと、
前記インジケーションに基づいて、前記メディアアセットの部分の開始位置および終了位置を判定するステップと、
前記開始位置と前記終了位置との間で経過する前記メディアアセットの部分を記憶させるステップと、
を含む、項目１に記載の方法。
（項目３）
前記メディアアセットの部分の開始位置を判定するステップはさらに、
前記命令に対応する初期ソースを判定するステップと、
前記メディアアセットのランタイムを判定するステップと、
前記命令に対応する初期ソースによって提示される前記メディアアセットの開始時間を判定するステップと、
前記コマンドが検出された時間を判定するステップと、
前記ランタイム、前記開始時間、および前記コマンドが検出された時間に基づいて、前記メディアアセットの部分の開始位置を判定するステップと、
を含む、項目２に記載の方法。
（項目４）
前記メディアアセットの部分のソースを識別するステップは、
前記メディアアセットと関連付けられた信号を検出するステップと、
前記信号に基づいて、前記メディアアセットと関連付けられたフィンガプリントを判定するステップと、
複数の既知のフィンガプリントを備えるデータベースにアクセスするステップと、
前記フィンガプリントと前記複数の既知のフィンガプリントを相互参照するステップと、
前記相互参照に基づいて、前記メディアアセットの部分のソースの識別を判定するステップと、
を含む、項目１に記載の方法。
（項目５）
前記メディアアセットの部分を記憶させるステップは、
前記メディアアセットの部分を遠隔データベースから読み出すステップと、
前記メディアアセットの部分を前記ユーザのユーザ機器に記憶するステップと、
を含む、項目１に記載の方法。
（項目６）
前記メディアアセットの部分を記憶させるステップは、前記メディアアセットの部分を前記メディアアセットの放送から録画するステップを含む、項目１に記載の方法。
（項目７）
前記命令内のデバイス識別子を検出するステップと、
ユーザプロファイルに基づいて、前記識別子が対応するデバイスを判定するステップと、
前記メディアアセットの部分を前記デバイスに記憶させるステップと、
をさらに含む、項目１に記載の方法。
（項目８）
前記メディアアセットの部分のソースが識別され、前記デバイスが判定されると、表示のために、記憶確認メッセージを生成するステップをさらに含む、項目７に記載の方法。
（項目９）
前記メディアアセットの部分が、前記命令に対応する初期ソースにおいて部分的に再生されたことを判定するステップと、
前記判定に応答して、前記メディアアセットの部分のための二次ソースを識別するステップと、
をさらに含む、項目１に記載の方法。
（項目１０）
前記音声コマンドは、受信されたメディアアセット識別子を備えることを判定するステップと、
複数の既知のメディアアセット識別子を備えるデータベースにアクセスするステップと、
前記受信されたメディアアセット識別子と前記複数の既知のメディアアセット識別子を相互参照するステップと、
前記相互参照に基づいて、前記受信されたメディアアセット識別子が前記複数の既知のメディアアセット識別子の任意の既知のメディアアセット識別子に合致しないことを判定するステップと、
前記複数の既知のメディアアセット識別子のための類似度指標のセットを計算するステップであって、類似度指標は、前記受信されたメディアアセット識別子と前記既知のメディアアセット識別子との間の類似度に対応する、ステップと、
前記類似度指標のセットの類似度指標が閾値類似度指標を超えることを判定するステップと、
前記判定に基づいて、提案されるメディアアセット識別子を選択するステップと、
前記ユーザに、前記提案されるメディアアセット識別子が前記受信されたメディアアセット識別子に対応することを確認するためのオプションを提供するステップと、
をさらに含む、項目１に記載の方法。
（項目１１）
メディアコンテンツを記憶するためのシステムであって、
通信回路と、
記憶回路と、
制御回路であって、
前記通信回路を使用して、音声コマンドをユーザから受信することと、
前記音声コマンドが、メディアアセットの部分を記憶する命令を備えることを判定することであって、前記部分は、前記メディアアセット全体未満である、ことと、
前記判定に応答して、前記メディアアセットの部分のソースを識別することと、
前記記憶回路を使用して、前記メディアアセットの部分を記憶させることと
を行うように構成される、制御回路と、
を備える、システム。
（項目１２）
前記制御回路はさらに、前記メディアアセットの部分を記憶させると、
前記音声コマンドが、前記メディアアセットの部分の持続時間のインジケーションを備えることを判定することと、
前記持続時間のインジケーションに基づいて、前記メディアアセットの部分の開始位置および終了位置を判定することと、
前記開始位置と前記終了位置との間で経過する前記メディアアセットの部分を記憶させることと
を行うように構成される、項目１１に記載のシステム。
（項目１３）
前記制御回路はさらに、前記メディアアセットの部分の開始位置を判定すると、
前記命令に対応する初期ソースを判定することと、
前記メディアアセットのランタイムを判定することと、
前記命令に対応する初期ソースによって提示される前記メディアアセットの開始時間を判定することと、
前記コマンドが検出された時間を判定することと、
前記ランタイム、前記開始時間、および前記コマンドが検出された時間に基づいて、前記メディアアセットの部分の開始位置を判定することと
を行うように構成される、項目１２に記載のシステム。
（項目１４）
前記制御回路はさらに、前記メディアアセットの部分のソースを識別すると、
前記メディアアセットと関連付けられた信号を検出することと、
前記信号に基づいて、前記メディアアセットと関連付けられたフィンガプリントを判定することと、
複数の既知のフィンガプリントを備えるデータベースにアクセスすることと、
前記フィンガプリントと前記複数の既知のフィンガプリントを相互参照することと、
前記相互参照に基づいて、前記メディアアセットの部分のソースの識別を判定することと
を行うように構成される、項目１１に記載のシステム。
（項目１５）
前記制御回路はさらに、前記メディアアセットの部分を記憶させると、
前記メディアアセットの部分を遠隔データベースから読み出すことと、
前記メディアアセットの部分を前記ユーザのユーザ機器に記憶することと
を行うように構成される、項目１１に記載のシステム。
（項目１６）
前記制御回路はさらに、前記メディアアセットの部分を記憶させると、前記メディアアセットの部分を前記メディアアセットの放送から録画するように構成される、項目１１に記載のシステム。
（項目１７）
前記制御回路はさらに、
前記命令内のデバイス識別子を検出することと、
ユーザプロファイルに基づいて、前記識別子が対応するデバイスを判定することと、
前記メディアアセットの部分を前記デバイスに記憶させることと
を行うように構成される、項目１１に記載のシステム。
（項目１８）
前記制御回路はさらに、前記メディアアセットの部分のソースが識別され、前記デバイスが判定されると、表示のために、記憶確認メッセージを生成するように構成される、項目１８に記載のシステム。
（項目１９）
前記制御回路はさらに、
前記メディアアセットの部分が、前記命令に対応する初期ソースにおいて部分的に再生されたことを判定することと、
前記判定に応答して、前記メディアアセットの部分のための二次ソースを識別することと
を行うように構成される、項目１１に記載のシステム。
（項目２０）
前記制御回路はさらに、
前記音声コマンドが、受信されたメディアアセット識別子を備えることを判定することと、
複数の既知のメディアアセット識別子を備えるデータベースにアクセスすることと、
前記受信されたメディアアセット識別子と前記複数の既知のメディアアセット識別子を相互参照することと、
前記相互参照に基づいて、前記受信されたメディアアセット識別子が前記複数の既知のメディアアセット識別子の任意の既知のメディアアセット識別子に合致しないことを判定することと、
前記複数の既知のメディアアセット識別子のための類似度指標のセットを計算することであって、類似度指標は、前記受信されたメディアアセット識別子と前記既知のメディアアセット識別子との間の類似度に対応する、ことと、
前記類似度指標のセットの類似度指標が閾値類似度指標を超えることを判定することと、
前記判定に基づいて、提案されるメディアアセット識別子を選択することと、
前記ユーザに、前記提案されるメディアアセット識別子が前記受信されたメディアアセット識別子に対応することを確認するためのオプションを提供することと
を行うように構成される、項目１１に記載のシステム。
（項目２１）
メディアコンテンツを記憶するためのシステムであって、
音声コマンドをユーザから受信するための手段と、
前記音声コマンドが、メディアアセットの部分を記憶する命令を備えることを判定するための手段であって、前記部分は、前記メディアアセット全体未満である、手段と、
前記判定に応答して、前記メディアアセットの部分のソースを識別するための手段と、
前記メディアアセットの部分を記憶させるための手段と、
を備える、システム。
（項目２２）
前記メディアアセットの部分を記憶させるための手段は、
前記音声コマンドが、前記メディアアセットの部分の持続時間のインジケーションを備えることを判定するための手段と、
前記インジケーションに基づいて、前記メディアアセットの部分の開始位置および終了位置を判定するための手段と、
前記開始位置と前記終了位置との間で経過する前記メディアアセットの部分を記憶させるための手段と、
を備える、項目２１に記載のシステム。
（項目２３）
前記メディアアセットの部分の開始位置を判定するための手段はさらに、
前記命令に対応する初期ソースを判定するための手段と、
前記メディアアセットのランタイムを判定するための手段と、
前記命令に対応する初期ソースによって提示される前記メディアアセットの開始時間を判定するための手段と、
前記コマンドが検出された時間を判定するための手段と、
前記ランタイム、前記開始時間、および前記コマンドが検出された時間に基づいて、前記メディアアセットの部分の開始位置を判定するための手段と、
を備える、項目２２に記載のシステム。
（項目２４）
前記メディアアセットの部分のソースを識別するための手段は、
前記メディアアセットと関連付けられた信号を検出するための手段と、
前記信号に基づいて、前記メディアアセットと関連付けられたフィンガプリントを判定するための手段と、
複数の既知のフィンガプリントを備えるデータベースにアクセスするための手段と、
前記フィンガプリントと前記複数の既知のフィンガプリントを相互参照するための手段と、
前記相互参照に基づいて、前記メディアアセットの部分のソースの識別を判定するための手段と、
を備える、項目２１に記載のシステム。
（項目２５）
前記メディアアセットの部分を記憶させるための手段は、
前記メディアアセットの部分を遠隔データベースから読み出すための手段と、
前記メディアアセットの部分を前記ユーザのユーザ機器に記憶するための手段と、
を備える、項目２１に記載のシステム。
（項目２６）
前記メディアアセットの部分を記憶させるための手段は、前記メディアアセットの部分を前記メディアアセットの放送から録画するための手段を備える、項目２１に記載のシステム。
（項目２７）
前記命令内のデバイス識別子を検出するための手段と、
ユーザプロファイルに基づいて、前記識別子が対応するデバイスを判定するための手段と、
前記メディアアセットの部分を前記デバイスに記憶させるための手段と、
をさらに備える、項目２１に記載のシステム。
（項目２８）
前記メディアアセットの部分のソースが識別され、前記デバイスが判定されると、表示のために、記憶確認メッセージを生成するための手段をさらに備える、項目２７に記載のシステム。
（項目２９）
前記メディアアセットの部分が、前記命令に対応する初期ソースにおいて部分的に再生されたことを判定するための手段と、
前記判定に応答して、前記メディアアセットの部分のための二次ソースを識別するための手段と、
をさらに備える、項目２１に記載のシステム。
（項目３０）
前記音声コマンドは、受信されたメディアアセット識別子を備えることを判定するための手段と、
複数の既知のメディアアセット識別子を備えるデータベースにアクセスするための手段と、
前記受信されたメディアアセット識別子と前記複数の既知のメディアアセット識別子を相互参照するための手段と、
前記相互参照に基づいて、前記受信されたメディアアセット識別子が前記複数の既知のメディアアセット識別子の任意の既知のメディアアセット識別子に合致しないことを判定するための手段と、
前記複数の既知のメディアアセット識別子のための類似度指標のセットを計算するための手段であって、類似度指標は、前記受信されたメディアアセット識別子と前記既知のメディアアセット識別子との間の類似度に対応する、手段と、
前記類似度指標のセットの類似度指標が閾値類似度指標を超えることを判定するための手段と、
前記判定に基づいて、提案されるメディアアセット識別子を選択するための手段と、
前記ユーザに、前記提案されるメディアアセット識別子が前記受信されたメディアアセット識別子に対応することを確認するためのオプションを提供するための手段と、
をさらに備える、項目２１に記載のシステム。
（項目３１）
メディアコンテンツを記憶するための方法であって、
音声コマンドをユーザから受信するステップと、
前記音声コマンドが、メディアアセットの部分を記憶する命令を備えることを判定するステップであって、前記部分は、前記メディアアセット全体未満である、ステップと、
前記判定に応答して、前記メディアアセットの部分のソースを識別するステップと、
前記メディアアセットの部分を記憶させるステップと、
を含む、方法。
（項目３２）
前記メディアアセットの部分を記憶させるステップは、
前記音声コマンドが、前記メディアアセットの部分の持続時間のインジケーションを備えることを判定するステップと、
前記インジケーションに基づいて、前記メディアアセットの部分の開始位置および終了位置を判定するステップと、
前記開始位置と前記終了位置との間で経過する前記メディアアセットの部分を記憶させるステップと、
を含む、項目３１または３２に記載の方法。
（項目３３）
前記メディアアセットの部分の開始位置を判定するステップはさらに、
前記命令に対応する初期ソースを判定するステップと、
前記メディアアセットのランタイムを判定するステップと、
前記命令に対応する初期ソースによって提示される前記メディアアセットの開始時間を判定するステップと、
前記コマンドが検出された時間を判定するステップと、
前記ランタイム、前記開始時間、および前記コマンドが検出された時間に基づいて、前記メディアアセットの部分の開始位置を判定するステップと、
を含む、項目３２に記載の方法。
（項目３４）
前記メディアアセットの部分のソースを識別するステップは、
前記メディアアセットと関連付けられた信号を検出するステップと、
前記信号に基づいて、前記メディアアセットと関連付けられたフィンガプリントを判定するステップと、
複数の既知のフィンガプリントを備えるデータベースにアクセスするステップと、
前記フィンガプリントと前記複数の既知のフィンガプリントを相互参照するステップと、
前記相互参照に基づいて、前記メディアアセットの部分のソースの識別を判定するステップと、
を含む、項目３１−３３のいずれかに記載の方法。
（項目３５）
前記メディアアセットの部分を記憶させるステップは、
前記メディアアセットの部分を遠隔データベースから読み出すステップと、
前記メディアアセットの部分を前記ユーザのユーザ機器に記憶するステップと、
を含む、項目３１−３４のいずれかに記載の方法。
（項目３６）
前記メディアアセットの部分を記憶させるステップは、前記メディアアセットの部分を前記メディアアセットの放送から録画するステップを含む、項目３１−３５のいずれかに記載の方法。
（項目３７）
前記命令内のデバイス識別子を検出するステップと、
ユーザプロファイルに基づいて、前記識別子が対応するデバイスを判定するステップと、
前記メディアアセットの部分を前記デバイスに記憶させるステップと、
をさらに含む、項目３１−３６のいずれかに記載の方法。
（項目３８）
前記メディアアセットの部分のソースが識別され、前記デバイスが判定されると、表示のために、記憶確認メッセージを生成するステップをさらに含む、項目３７に記載の方法。
（項目３９）
前記メディアアセットの部分が、前記命令に対応する初期ソースにおいて部分的に再生されたことを判定するステップと、
前記判定に応答して、前記メディアアセットの部分のための二次ソースを識別するステップと、
をさらに含む、項目３１−３８のいずれかに記載の方法。
（項目４０）
前記音声コマンドが受信されたメディアアセット識別子を備えることを判定するステップと、
複数の既知のメディアアセット識別子を備えるデータベースにアクセスするステップと、
前記受信されたメディアアセット識別子と前記複数の既知のメディアアセット識別子を相互参照するステップと、
前記相互参照に基づいて、前記受信されたメディアアセット識別子が前記複数の既知のメディアアセット識別子の任意の既知のメディアアセット識別子に合致しないことを判定するステップと、
前記複数の既知のメディアアセット識別子のための類似度指標のセットを計算するステップであって、類似度指標は、前記受信されたメディアアセット識別子と前記既知のメディアアセット識別子との間の類似度に対応する、ステップと、
前記類似度指標のセットの類似度指標が閾値類似度指標を超えることを判定するステップと、
前記判定に基づいて、提案されるメディアアセット識別子を選択するステップと、
前記ユーザに、前記提案されるメディアアセット識別子が前記受信されたメディアアセット識別子に対応することを確認するためのオプションを提供するステップと、
をさらに含む、項目３１−３９のいずれかに記載の方法。
（項目４１）
メディアコンテンツを記憶するためにその上にエンコードされた機械可読命令を備える、非一過性コンピュータ可読媒体であって、前記命令は、
音声コマンドをユーザから受信するための命令と、
前記音声コマンドが、メディアアセットの部分を記憶する命令を備えることを判定するための命令であって、前記部分は、前記メディアアセット全体未満である、命令と、
前記判定に応答して、前記メディアアセットの部分のソースを識別するための命令と、
前記メディアアセットの部分を記憶させるための命令と、
を備える、非一過性コンピュータ可読媒体。
（項目４２）
前記メディアアセットの部分を記憶させるための命令は、
前記音声コマンドが、前記メディアアセットの部分の持続時間のインジケーションを備えることを判定するための命令と、
前記インジケーションに基づいて、前記メディアアセットの部分の開始位置および終了位置を判定するための命令と、
前記開始位置と前記終了位置との間で経過する前記メディアアセットの部分を記憶させるための命令と、
を備える、項目４１に記載の非一過性コンピュータ可読媒体。
（項目４３）
前記メディアアセットの部分の開始位置を判定するための命令はさらに、
前記命令に対応する初期ソースを判定するための命令と、
前記メディアアセットのランタイムを判定するための命令と、
前記命令に対応する初期ソースによって提示される前記メディアアセットの開始時間を判定するための命令と、
前記コマンドが検出された時間を判定するための命令と、
前記ランタイム、前記開始時間、および前記コマンドが検出された時間に基づいて、前記メディアアセットの部分の開始位置を判定するための命令と、
を備える、項目４２に記載の非一過性コンピュータ可読媒体。
（項目４４）
前記メディアアセットの部分のソースを識別するための命令は、
前記メディアアセットと関連付けられた信号を検出するための命令と、
前記信号に基づいて、前記メディアアセットと関連付けられたフィンガプリントを判定するための命令と、
複数の既知のフィンガプリントを備えるデータベースにアクセスするための命令と、
前記フィンガプリントと前記複数の既知のフィンガプリントを相互参照するための命令と、
前記相互参照に基づいて、前記メディアアセットの部分のソースの識別を判定するための命令と、
を備える、項目４１に記載の非一過性コンピュータ可読媒体。
（項目４５）
前記メディアアセットの部分を記憶させるための命令は、
前記メディアアセットの部分を遠隔データベースから読み出すための命令と、
前記メディアアセットの部分を前記ユーザのユーザ機器に記憶するための命令と、
を備える、項目４１に記載の非一過性コンピュータ可読媒体。
（項目４６）
前記メディアアセットの部分を記憶させるための命令は、前記メディアアセットの部分を前記メディアアセットの放送から録画するための命令を備える、項目４１に記載の非一過性コンピュータ可読媒体。
（項目４７）
前記命令はさらに、
前記命令内のデバイス識別子を検出するための命令と、
ユーザプロファイルに基づいて、前記識別子が対応するデバイスを判定するための命令と、
前記メディアアセットの部分を前記デバイスに記憶させるための命令と、
を備える、項目４１に記載の非一過性コンピュータ可読媒体。
（項目４８）
前記命令はさらに、前記メディアアセットの部分のソースが識別され、前記デバイスが判定されると、表示のために、記憶確認メッセージを生成するための命令を備える、項目４７に記載の非一過性コンピュータ可読媒体。
（項目４９）
前記命令はさらに、
前記メディアアセットの部分が、前記命令に対応する初期ソースにおいて部分的に再生されたことを判定するための命令と、
前記判定に応答して、前記メディアアセットの部分のための二次ソースを識別するための命令と、
を備える、項目４１に記載の非一過性コンピュータ可読媒体。
（項目５０）
前記命令はさらに、
前記音声コマンドが、受信されたメディアアセット識別子を備えることを判定するための命令と、
複数の既知のメディアアセット識別子を備えるデータベースにアクセスするための命令と、
前記受信されたメディアアセット識別子と前記複数の既知のメディアアセット識別子を相互参照するための命令と、
前記相互参照に基づいて、前記受信されたメディアアセット識別子が前記複数の既知のメディアアセット識別子の任意の既知のメディアアセット識別子に合致しないことを判定するための命令と、
前記複数の既知のメディアアセット識別子のための類似度指標のセットを計算するための命令であって、類似度指標は、前記受信されたメディアアセット識別子と前記既知のメディアアセット識別子との間の類似度に対応する、命令と、
前記類似度指標のセットの類似度指標が閾値類似度指標を超えることを判定するための命令と、
前記判定に応答して、提案されるメディアアセット識別子を選択するための命令と、
前記ユーザに、前記提案されるメディアアセット識別子が前記受信されたメディアアセット識別子に対応することを確認するためのオプションを提供するための命令と、
を備える、項目４１に記載の非一過性コンピュータ可読媒体。